(57)【要約】【課題】通信エラーの発生率を抑制する背面板、ディスプレイ、表示システム、電力供給方法、表示方法を提供する。【解決手段】主面状を有し、主面に電力供給手段、映像信号送信手段、および位置検出手段をそれぞれ複数有する基板と、検出部、選択部、電力供給部、映像信号生成部、および映像信号供給部を有する制御部とを有する背面板。背面板に配置されることにより表面に映像を表示する表示部と前記表面に対する裏面に位置マーカー、電力受電手段、映像信号受信手段を少なくともそれぞれ１つ以上有するディスプレイ。背面板およびディスプレイを有する表示システム。この表示システムに用いられる電力供給方法および表示方法。【選択図】図１
2009244346.tif 000002
【特許請求の範囲】
【請求項１】
主面状を有し、主面に電力供給手段、映像信号送信手段、および位置検出手段をそれぞれ複数有する基板と、
検出部、選択部、電力供給部、映像信号生成部、および映像信号供給部を有する制御部と、
を有する背面板であって、
前記位置検出手段は自らの位置を検出させる位置マーカーを有するディスプレイの位置を検出し、
前記検出部は前記位置検出手段から送られる情報に基づき前記ディスプレイの位置情報および姿勢情報を検出し、
前記選択部は前記位置情報および姿勢情報に基づいて前記ディスプレイに対応する電力給電手段および映像信号送信手段を選択し、
前記電力供給部は既選択電力給電手段に電力を供給し、
前記映像信号生成部は前記ディスプレイに対応する映像信号を生成し、
前記映像信号供給部は既選択映像信号送信手段に既生成映像信号を供給する
ことを特徴とする背面板。
【請求項２】
背面板に配置されることにより、表面に映像を表示する表示部と、
前記表面に対する裏面に位置マーカー、電力受電手段、映像信号受信手段を少なくともそれぞれ１つ以上有するディスプレイであって、
前記位置マーカーは前記背面板が有する位置検出手段に自らの位置を検出させ、
前記電力受電手段は前記背面板が有する電力給電手段から供給される電力を受電し、
前記映像信号受信手段は前記背面板が有する映像信号送信手段から映像信号を受信し、
前記表示部は前記映像信号受信手段により受信された映像を表示する
ことを有することを特徴とするディスプレイ。
【請求項３】
請求項１に記載の背面板と、
請求項２に記載のディスプレイと、
を有することを特徴とする表示システム。
【請求項４】
前記電力給電手段と前記電力受電手段とが非接触で電力の給電および受電を行い、
前記映像信号送信手段と前記映像信号受信手段とが非接触で映像信号の送信および受信を行うことを特徴とする請求項３に記載の表示システム。
【請求項５】
背面板に設けられた位置検出手段と、ディスプレイに設けられた位置マーカーとから得られる情報に基づき前記ディスプレイの位置情報および姿勢情報を検出するディスプレイ位置情報姿勢情報検出ステップと、
前記ディスプレイ位置情報姿勢情報検出ステップにより得られた前記ディスプレイの位置情報および姿勢情報に基づき前記ディスプレイに対応する電力給電手段を選択する電力給電手段選択ステップと、
前記電力給電手段選択ステップにより選択された電力給電手段に電力を供給し、さらにこの電力を前記電力給電手段から前記ディスプレイの電力受電手段に給電する電力供給給電ステップと、
を有することを特徴とする電力供給方法。
【請求項６】
前記電力給電手段選択ステップが、最も接近している前記背面板の電力給電手段と前記ディスプレイの電力受電手段とを選択する、
ことを特徴とする請求項５に記載の電力供給方法。
【請求項７】
背面板に設けられた位置検出手段と、ディスプレイに設けられた位置マーカーとから得られる情報に基づきディスプレイの位置情報および姿勢情報を検出するディスプレイ位置情報姿勢情報検出ステップと、
前記ディスプレイ位置情報姿勢情報検出ステップにより得られた前記ディスプレイの位置情報および姿勢情報に基づき前記ディスプレイに対応する映像送信手段を選択する映像信号送信手段選択ステップと、
前記ディスプレイ位置情報姿勢情報検出ステップにより得られた前記ディスプレイの位置情報および姿勢情報に基づき前記ディスプレイに対応する映像信号を生成する映像信号生成ステップと、
前記映像信号送信手段選択ステップにより選択された映像信号送信手段に前記映像信号生成ステップにより生成された映像信号を供給し、さらにこの映像信号を前記映像信号送信手段から前記ディスプレイの映像信号受信手段に送信する映像信号供給送信ステップと、
を有することを特徴とする表示方法。
【請求項８】
前記映像信号送信手段選択ステップが、最も接近している前記背面板の映像信号送信手段と前記ディスプレイの映像信号受信手段とを選択する
ことを特徴とする請求項７に記載の表示方法。
【発明の詳細な説明】
【技術分野】
【０００１】
本発明は、マルチディスプレイシステムに映像を表示させるディスプレイ用の背面板、ディスプレイ、表示システム、電力供給方法および表示方法に関する。
【０００２】
関する。
【背景技術】
【０００３】
近年、従来の表示機器で表示される映像よりも大きな画像で映像を見たいという要求が高まっている。また映像をユーザーの嗜好に合わせたレイアウト、サイズで見たいという要求も高まっている。その結果、複数のディスプレイに画像を表示したり、更にディスプレイの位置を変更する機会が徐々に増加しつつある。
【０００４】
上述の複数のディスプレイに画像を表示する方法は、複数のディスプレイを隙間なく敷き詰めるように並べることで、より大きな映像を表示するもので、タイリングと呼ばれる。逆に、各ディスプレイに異なる情報や映像を表示し、ディスプレイを自由にレイアウトすることで、情報、映像を整理することも行われる。
【０００５】
このようなマルチディスプレイシステムは、各ディスプレイに電源を供給する手段としては、電源ケーブルを用いることが一般的である。また、各ディスプレイに映像信号を伝達する手段も、一般にはケーブルを用いている。
【０００６】
しかしながら、ディスプレイを用いて画像表示を行う場合、映像信号・電力伝送用ケーブルを用いると、ディスプレイを自由に動かしてレイアウトを変更することが困難となる。更に複数のディスプレイによるマルチディスプレイシステムでは、映像信号・電力伝送用ケーブルが多数決結線されるため、ケーブルが美観を損ねないようにするための困難さも生じる。
【０００７】
そこで、映像信号、電力の伝送方式として、無線を用いることが考えられる。特許文献１では、無線を用いて複数のディスプレイに映像信号を伝送することを可能にしている。
【０００８】
また、特許文献２では、アンテナから複数の表示システムに電磁誘導で電力を供給する方法が記載されており、無線による電力伝送を可能にしている。
【特許文献１】特開２００５−１７３２９１公報
【特許文献２】特開２００７−４７５１２公報
【発明の開示】
【発明が解決しようとする課題】
【０００９】
しかしながら、マルチディスプレイシステムの実現には、以下のような問題がある。
【００１０】
まず、ハイビジョンに代表される高精細画像が普及し、映像信号の伝送も高速性が要求されるようになった。その結果、ギガヘルツ帯の高速通信法が使われる傾向がある。しかし、通信距離が長くなると通信エラーの発生率が高まり、更に周囲の電波との干渉によりエラー発生率は一層高まることになる。すなわち、通信距離は極力短くすることが必要である。
【００１１】
これは電力供給も同様のことが言える。無線による電力供給は、電磁誘導を用いた方式が良く用いられるが、電磁気の教科書にも記載されている通り、電磁誘導は供給手段と受給手段との距離の冪乗の逆数で減衰するため、電力供給距離を短くしないと、電力供給効率は低下する。また、１つの供給手段から複数の受給手段に電力を供給する場合、１つの供給手段と１つの受給手段との距離を最短化したとしても、それ以外の他の受給手段について距離を適正に管理することは容易ではない。
【００１２】
そこで本発明は、係る問題点を解決するために、高速性が要求される環境下においても、通信エラーの発生率を抑制するディスプレイ、背面板、表示システム、電力供給方法および表示方法を提供することを目的とする。
【課題を解決するための手段】
【００１３】
上記課題を解決するために、本発明に係る背面板は、主面状を有し、主面に電力供給手段、映像信号送信手段、および位置検出手段をそれぞれ複数有する基板と、検出部、選択部、電力供給部、映像信号生成部、および映像信号供給部を有する制御部と、を有する背面板であって、位置検出手段は自らの位置を検出させる位置マーカーを有するディスプレイの位置を検出し、検出部は位置検出手段から送られる情報に基づきディスプレイの位置情報および姿勢情報を検出し、選択部は位置情報および姿勢情報に基づいてディスプレイに対応する電力給電手段および映像信号送信手段を選択し、電力供給部は既選択電力給電手段に電力を供給し、映像信号生成部はディスプレイに対応する映像信号を生成し、映像信号供給部は既選択映像信号送信手段に既生成映像信号を供給することを特徴とする。
【００１４】
上記課題を解決するために、本発明に係るディスプレイは、背面板に配置されることにより、表面に映像を表示する表示部と、表面に対する裏面に位置マーカー、電力受電手段、映像信号受信手段を少なくともそれぞれ１つ以上有するディスプレイであって、位置マーカーは背面板が有する位置検出手段に自らの位置を検出させ、電力受電手段は背面板が有する電力給電手段から供給される電力を受電し、映像信号受信手段は背面板が有する映像信号送信手段から映像信号を受信し、表示部は映像信号受信手段により受信された映像を表示することを有することを特徴とする。
【００１５】
上記課題を解決するために、本発明に係る表示システムは、上記ディスプレイと、上記背面板と、を有することを特徴とする。
【００１６】
上記課題を解決するために、本発明に係る電力供給方法は、背面板に設けられた位置検出手段と、ディスプレイに設けられた位置マーカーとから得られる情報に基づきディスプレイの位置情報および姿勢情報を検出するディスプレイ位置情報姿勢情報検出ステップと、ディスプレイ位置情報姿勢情報検出ステップにより得られたディスプレイの位置情報および姿勢情報に基づきディスプレイに対応する電力給電手段を選択する電力給電手段選択ステップと、電力給電手段選択ステップにより選択された電力給電手段に電力を供給し、さらにこの電力を電力給電手段からディスプレイの電力受電手段に給電する電力供給給電ステップと、を有することを特徴とする。
【００１７】
上記課題を解決するために、本発明に係る表示方法は、背面板に設けられた位置検出手段と、ディスプレイに設けられた位置マーカーとから得られる情報に基づきディスプレイの位置情報および姿勢情報を検出するディスプレイ位置情報姿勢情報検出ステップと、ディスプレイ位置情報姿勢情報検出ステップにより得られたディスプレイの位置情報および姿勢情報に基づきディスプレイに対応する映像送信手段を選択する映像信号送信手段選択ステップと、ディスプレイ位置情報姿勢情報検出ステップにより得られたディスプレイの位置情報および姿勢情報に基づきディスプレイに対応する映像信号を生成する映像信号生成ステップと、映像信号送信手段選択ステップにより選択された映像信号送信手段に映像信号生成ステップにより生成された映像信号を供給し、さらにこの映像信号を映像信号送信手段からディスプレイの映像信号受信手段に送信する映像信号供給送信ステップと、を有することを特徴とする。
【発明の効果】
【００１８】
上記本発明によれば、高速性が要求される環境下においても、通信エラーの発生率を抑制する背面板、ディスプレイ、表示システムおよび電力供給方法、表示方法を提供できる。
【発明を実施するための最良の形態】
【００１９】
本発明の実施の形態に係る背面板、ディスプレイ、表示システム、電力供給方法、表示方法について説明する。
【００２０】
〔背面板〕
図１は本発明の背面板を示す構成図である。
【００２１】
本発明に用いられる背面板１は、位置検出手段２、電力給電手段３、映像信号送信手段４、基板５、制御部６を有する。
【００２２】
位置検出手段２、電力給電手段３、映像信号送信手段４は用途に応じて任意の数だけ基板５に配置される。これらは複数配置される方が位置や姿勢の検出の精度が向上すること、電力供給における電力の給電損失が低減できること、映像信号送信・受信に際しエラーが少ないことから好ましい。図１に示すマトリクス状のように、幾何学的に対称な位置（シンメトリーな位置）に配置してもよい。
【００２３】
基板５としてプリント基板を用い、これに位置検出手段２、電力給電手段３、映像信号送信手段４を形成してもよい。また、基板５として布基板を用い、位置検出手段２、電力給電手段３、映像信号送信手段４縫いこむように形成してもよい。このように、基板５は主面状を有する。ここで「主面状」とは、平面、曲面を問わず、二次元の面状を有することをいう。具体的には、平面状、円筒状、半円筒状などを有する基板５が例示される。
【００２４】
位置検出手段２には後述する位置マーカー１０１と位置検出手段２との間に非接触で作用を生じるものであれば良い。例えば、位置マーカー１０１から発信される微弱な電磁波の強度を複数の位置検出手段２で検知することができる。この手段を用いることにより、位置マーカー１０１の座標を精度良く検出できる。
【００２５】
また、電力供給手段３として、後述するディスプレイ１００に配置された電力受電手段１０２に電力を無線供給するための給電用のアンテナを用いることができる。
【００２６】
映像信号送信手段４には、ディスプレイ１００に配置された映像信号受信手段１０３（例えば映像信号受信用アンテナ）に映像信号を無線で供給するためのアンテナを用いることができる。この手段を用いることにより、背面板１の基板５に複数配置され、後述する表示方法に従って選択された映像信号供給手段４からディスプレイ１００の映像信号受信手段１０３へ映像信号が無線で供給される。
【００２７】
図２は制御部６を示している。制御部６は、検出部１０、選択部２０、電力制御部３０、映像信号制御部４０、演算処理部５０、情報格納部６０、外部入力部７０を有しており、これらは相互に電気的に接続され、情報や電力のやり取りを行うことが可能となっている。
【００２８】
検出部１０は、位置情報検出部１１、姿勢情報検出部１２を有する。位置情報検出部１１、姿勢情報検出部１２は位置検出手段２から信号線Ｅ１を通じて送られる情報（位置情報、姿勢情報）に基づいて、後述する演算処理部５０にて演算処理を行い、例えば図１３に示すディスプレイ１００に設けられた位置マーカー１０１（１０１ａ、１０１ｂ、１０１ｃ）の座標を求める。これによりディスプレイ１００の位置情報、姿勢情報を検出することができる。ここで位置情報とは、基板１に対してディスプレイ１００の並進方向に関する情報を、姿勢情報とはディスプレイ１００の基板１に対する角度（傾き）に関する情報をいう。
【００２９】
選択部２０は、検出部１０で得られるディスプレイ１００の位置情報および姿勢情報に基づいてディスプレイ１００に対応する電力給電手段３および映像信号送信手段４を選択する。
【００３０】
電力制御部３０は、電力供給部３１を有する。これに加え、電力貯蔵部３２を有してもよい。電力供給部３１は電力供給線Ｅ２および電力給電手段３を通じて、選択部２０により選択されたディスプレイ１００の電力受電手段１０２に電力を供給する。この電力は制御部６の電力入力部７２に外部から取り込まれる。外部から取り込まれる電力の一部は電力貯蔵部３２に貯蔵しておいてもよい。電源が近くにない場合には、この電力貯蔵部３２に貯蔵された電力の一部または全部を電力受電手段３２に供給することができる。
【００３１】
映像信号制御部４０は、映像信号生成部４１、映像信号供給部４２を有する。映像信号生成部４１は、ディスプレイ１００の位置情報および姿勢情報に基づき選択部２０により選択されたディスプレイ１００に対応する映像信号を生成する。映像信号供給部４２は、映像信号生成部４１により生成された映像信号を、映像信号供給線Ｅ３および映像信号送信手段４を通じて、選択部２０により選択された映像信号受信手段１０３に供給する。
【００３２】
外部入力部７０は位置情報姿勢情報入力部７１、電力入力部７２、映像信号入力部７３を有する。位置情報姿勢情報入力部７１は、位置検出手段２と信号線Ｅ１により接続されている。電力入力部７２は外部電源（図示省略）と電力用配線Ｅ４により接続されている。外部電源としては例えば家庭用のＡＣ１００Ｖ電源を用いることができる。映像信号入力部７３は外部の映像信号源（図示省略）と映像信号線Ｅ５により接続されている。
【００３３】
演算処理部５０は、検出部１０、選択部２０、電力制御部３０、映像信号制御部４０、情報格納部６０、外部入力部７０に接続されており、位置情報、姿勢情報、映像信号の演算処理を行う。具体的には以下のような演算処理である。位置検出手段２から信号線Ｅ１を通じて送られてくる情報に基づいてディスプレイ１００の位置情報、姿勢情報を検出する演算処理を行う。また、これら位置情報、姿勢情報の演算処理の結果を位置情報検出部、姿勢情報検出部に送る。併せて後述する位置情報姿勢情報格納部６１にこれらの情報を送る処理を行うことも可能である。また、演算処理部５０は検出部１０から得られるディスプレイ１００の位置情報および姿勢情報に基づいて、ディスプレイ１００に対応する電力給電手段３および映像信号送信手段４を選択する演算処理を行う。また、演算処理部５０は選択部２０により選択されたディスプレイ１００に対応する映像信号を生成する演算処理を行い、演算処理後の映像信号を映像信号供給部４２に送る。
【００３４】
情報格納部６０は、位置情報姿勢情報格納部６１、映像信号格納部６２を有する。位置情報姿勢情報格納部６１は現在または過去の位置情報および姿勢情報を格納する。映像信号格納部６２は現在または過去に入力した映像信号、現在または過去に生成した映像信号を格納してもよい。これ以外にもディスプレイ１００に係る情報（大きさ、消費電力、映像仕様）、背面板１に係る情報（大きさ、消費電力、位置検出手段２の仕様、電力給電手段３の仕様、映像送信手段４の仕様）を格納し、これらを上記演算処理に用いてもよい。
【００３５】
図３は背面板１の基板５のみを特に抽出した図面である。この図３について、Ａ−Ａにおける断面図を図４（Ａ）に、Ｂ−Ｂにおける断面図を図４（Ｂ）にそれぞれ示す。図４（Ａ）及び図４（Ｂ）に示すように、位置検出手段２、電力給電手段３、映像信号送信手段４は基板５のディスプレイが配置される面（主面）に配置されることが好ましい。ディスプレイ１００が基板５に配置された時に、両者の距離をできるだけ短くすることが可能となり、出来るだけ近い方がディスプレイ１００の位置や姿勢の検出の精度が向上すること、電力供給における電力の給電損失が低減できること、映像信号送信・受信に際しエラーが少ないことなどの理由による。
【００３６】
〔ディスプレイ〕
図５は本発明のディスプレイを示す構成図である。また、図６（Ａ）は図５に示すディスプレイ１００のＣ−Ｃにおける断面図を示したものである。
【００３７】
本発明に用いられるディスプレイ１００は、位置マーカー１０１（１０１ａ、１０１ｂ、１０１ｃ、１０１ｄ）、電力受電手段１０２（１０２ａ、１０２ｂ、１０２ｃ、１０２ｄ。なお、１０２ｃ、１０２ｄは図示省略。）、映像信号受信手段１０３（１０３ａ、１０３ｂ、１０３ｃ、１０３ｄ。なお、１０３ｃ、１０３ｄは図示省略。）、表示部１０４を有している。
【００３８】
位置マーカー１０１はディスプレイ１００の自らの位置、すなわちディスプレイ１００が配置されている位置情報、姿勢情報を位置検出手段２に与えるものである。具体的には、上述したように、位置検出手段２との間に非接触で作用を生じるものを用いることができる。例えば、位置マーカー１０１として微弱な電磁波の発信機、位置検出手段としてこの電磁波の受信機を用いることができる。これにより、基板５に配置された複数の位置検出手段２は、ディスプレイ１００の位置マーカー２からの微弱な電磁波の強度を信号として受信し、その情報を信号線Ｅ１を通じて制御部６の位置情報姿勢情報入力部７１へ送り、演算処理部５０にて演算処理を行い、検出部１０に送る。電磁波の強度は距離の関数として求められるため、複数の位置検出手段２で電磁波の強度を受信することにより、位置マーカー１０１の位置を一意に決定することが可能となる。なお、位置マーカー１０１を複数有する場合には、それぞれの位置マーカーからの信号を順次シリアルに送信するようにし、それぞれの位置を求めることも可能である。また、電磁波の周波数を異なるものとすることにより、位置マーカーを個別に特定するようにすることも可能である。
【００３９】
これらの処理により、ディスプレイ１００の位置を検出する。すなわち、位置マーカー１０１（１０１ａ、１０１ｂ、１０１ｃ）の座標を求め、これらからディスプレイ１００の位置情報、姿勢情報を精度良く求めることができる。例えば、位置マーカー１０１からの微弱な電磁波の強度を信号から座標を求めるために、予め用意したデータベースを情報格納部に格納しておき、これを参照して位置情報、姿勢情報を求めることができる。また、都度、幾何学的な公式を用いて演算処理を行い、位置情報、姿勢情報を求めてもよい。
【００４０】
図５に示すように位置マーカー１０１をディスプレイ１００の各頂点に配置することで、ディスプレイ１００の各頂点の座標の他、ディスプレイの傾き、大きさ、曲率などの情報を取得することが出来る。
【００４１】
例えば、ディスプレイが剛体かつ長方形の場合には、平板位置マーカー１０１は少なくとも３つあれば、ディスプレイ１００の位置および姿勢は特定できる。一方、弾性を有するためにディスプレイ１００が曲面を形成する場合には、その曲面の曲率を求めるために複数の位置マーカーを有することが好ましい。これら位置マーカー１０１の個数はディスプレイ１００の剛性、大きさ、形状に応じて適宜選択すればよい。また、位置マーカー１０１にディスプレイ１００の仕様に関する情報を格納する情報格納部（図示省略）を設け、制御部６が適宜これらの情報を取得し、参照できるようにしておいてもよい。ディスプレイ１００が複数配置される場合に、これらディスプレイ１００のそれぞれを特定できるように、各ディスプレイを識別できる情報（ディスプレイ識別情報）を格納してもよい。
【００４２】
電力受電手段１０２は、電力給電手段３から供給される電力を受電する機能を有する。この電力はディスプレイ１００に映像信号を表示するための電源として用いられる。また、この電力は位置マーカー１０１から微弱な電磁波を発信するための電源として用いられる。電力給電手段３、および電力受電手段１０２としては、電力を無線で給電および受電するためのアンテナを備える手段を用いることができる。なお、当初、微弱な電磁波を発信するための最低限の電力を格納するために、電力受電手段１０２の内部に電力貯蔵部（図示省略）を有してもよい。これにより、電力給電手段３から電力を受ける前においても、位置マーカー１０１から電磁波を発信することが可能となる。
【００４３】
映像信号受信手段１０３は、映像信号送信手段４から供給される映像信号を受信する機能を有する。この映像信号は、予め映像信号生成部４１にて生成された映像信号が映像信号供給部４２から、映像信号供給線Ｅ３を介して映像信号送信手段４に送られ、さらに映像信号受信手段１０３に送られる。映像信号送信手段４、および映像信号受信手段１０３としては、映像信号を無線で送信および受信するためのアンテナを備える手段を用いることができる。
【００４４】
なお、図６（Ａ）にはディスプレイ１００（１００ａ、１００ｂ）に複数の電力受電手段１０２（１０２ａ、１０２ｂ）、映像信号受信手段１０３（１０３ａ、１０３ｂ）を重ねて配置する構成を示したが、ディスプレイの大きさや消費電力などの仕様に応じて、図６（Ｂ）に示すように、１枚のディスプレイ１００に対し、電力受電手段１０２、映像信号受信手段１０３を各１個ずつ有するものとしてもよい。
【００４５】
表示部１０４は、映像信号受信手段１０３で受け取った映像信号を表示する機能を有する。表示部１０４の具体的な動作を以下に例示的に示す。表示部１０４に設けられた電源スイッチ(図示省略)を入れて位置マーカー１０１から微弱な電磁波を発信させるとともに、電力受電手段を待機状態にする。表示部１０４が基板１に接触した後、最近接した電力送電手段から送られた電力を電力受電手段で受電する。さらにこれらとともに、その電力を用いて映像信号受信手段及び映像信号処理回路(図示省略)を起動する。最近接した映像信号送信手段から送信された映像信号を受信し、映像信号処理回路にて処理した後、ディスプレイにデータを送り画像を表示させる。表示部１０４に設けられた電源スイッチを遮断して位置マーカー１０１からの微弱な電磁波の発信を停止すると共に、電力受電手段、映像信号受信手段、映像信号処理回路を停止する。
【００４６】
表示部１０４に設けられた、表示部と基板１の接触を検出する手段を用いて上述の電源スイッチの接続、遮断を制御することも可能である。この場合は、表示部を基板１に接触させると、感圧センサが接触を感知して、表示部の電源スイッチを接続する。表示部を基板から取り外すと感圧センサの信号により電源スイッチが遮断される。
【００４７】
このような感圧センサーの具体例な構成と動作を図１６、図１７を用いて説明する。図１６はディスプレイ１００が基板５に接触する前の状態、図１７はディスプレイ１００が基板５に正しく接触している状態を示した模式図である。
【００４８】
図１６、図１７では固定部１０５が感圧センサー１０６を有している場合を示している。感圧センサー１０６は押圧ボタン１０７、付勢手段１０８、スイッチＳＷ１を有する。押圧ボタン１０７は付勢手段１０８を介してスイッチＳＷ１に接続されている。付勢手段１０８は押圧ボタン１０７が押された時に、その押圧をスイッチＳＷ１に伝達する機能を有する。付勢手段１０８としては金属バネなどを用いることが出来る。スイッチＳＷ１は接触状態検出信号線Ｅ６を介して位置マーカー１０１に接続されている。スイッチＳＷ１は所定の押圧を検出した時にこれを位置マーカー１０１に伝達する機能を有する。この方法として、例えば、スイッチＳＷ１が所定の押圧以上の状態となった時に、接触状態検出信号線Ｅ６の回路を短絡するように構成すればよい。
【００４９】
図１６に示す接触前の状態においては、押圧ボタン１０７、付勢手段１０８は開放され、スイッチＳＷ１は開放した状態となる。一方、図１７に示すように、先に述べた電磁気力を固定手段として用いてディスプレイ１００と基板５に接触させると、押圧ボタン１０７は基板５により押され、付勢手段１０８を圧縮する。そしてこの付勢手段１０８はスイッチＳＷ１を押圧し、接触状態検出信号線Ｅ６の回路を短絡する。接触状態検出信号線Ｅ６はこの短絡した状態を検知し、位置マーカー１０１に基板５が接触したことを伝達する。位置マーカー１０１はこの伝達を受けた後に、ディスプレイ位置情報姿勢情報検出ステップＳ１を行うようにすることができる。
【００５０】
基板５が複数の固定部１０５を有している場合、それぞれの固定部１０５に感圧センサー１０６を設けることができる。例えば、長方形の形状を有する基板５の四隅に固定部１０５が配置され、それぞれに感圧センサー１０６を設ける場合がこれに相当する。これにより、ディスプレイ１００が基板５に対し、適切に接触しているか、をより高い信頼性をもって検知することができる。この場合、それぞれのスイッチＳＷ１を直列に繋ぐことにより、全ての感圧センサー１０６が適切に接触していることを検知することが可能となる。
【００５１】
これらの動作を行うために、ディスプレイ１００にはディスプレイ電源部（図示省略）を有していてもよい。ディスプレイ電源部としてはボタン電池や充電可能な二次電池を用いることができる。位置マーカー１０１などはこのディスプレイ電源部から電力の供給を受けて微弱な電磁波を発信させることができる。
【００５２】
また、これらディスプレイ１００の動作に関する一連の処理はディスプレイ１００に設けられたディスプレイ制御部（図示省略）により制御される。
【００５３】
このような表示部１０４として、例えば液晶型ディスプレイや有機ＥＬディスプレイを用いることができる。
【００５４】
なお、表示部１０４の映像が表示され、使用者が映像を視認する面を「表面」とした場合、位置マーカー１０１、電力受電手段１０２、映像信号受信手段１０３はこの表面に対し裏面に配置されることが好ましい。これは基板５にディスプレイ１００が配置された時に、これら（位置マーカー１０１、電力受電手段１０２、映像信号受信手段１０３）が位置検出手段２、電力給電手段３、映像信号送信手段４に出来るだけ近い方がディスプレイ１００の位置や姿勢の検出の精度が向上すること、電力供給における電力の給電損失が低減できること、映像信号送信・受信に際しエラーが少ないこと、表示部１０４を出来るだけ大きく取れることなどの理由による。
【００５５】
〔表示システム〕
図７は表示システム２００を示した概念図、図８（Ａ）はこの表示システム２００のＤ−Ｄにおける断面、図８（Ｂ）はＥ−Ｅにおける断面を模式的に示したものである。
【００５６】
本発明に係る表示システム２００はこれまで説明した背面板１とディスプレイ１００を有する。
【００５７】
複数のディスプレイ１００（１００ａ、１００ｂ）は基板５の上の任意の位置に配置することができる。配置する時の固定手段として静電気力、電磁気力を用いれば、ディスプレイを背面板に貼り付けた後、適度な力で取り外し、別の位置に取り付けることが可能である。
【００５８】
このような基板５は図９に示すように、家屋の壁に数メートル角程度の大きさで貼り付けたものでもよい。また壁の中に埋め込んだ構造でも良い。なお、図９においては技術的な理解の便宜のために、位置検出手段２、電力給電手段３、映像信号送信手段４を図示したままとしたが、実際の表面は美感を高めるために木目調、黒色、布地などとすることができる。
【００５９】
また、図１０に示すように、机などの家具や什器３００の上面を背面板１としても良い。この場合は、ディスプレイ１００は図１０のように上向きに配置される。
【００６０】
〔電力供給方法〕
表示システムにおけるディスプレイへの電力の供給方法について説明する。
【００６１】
図１１は、本発明に係る電力供給方法、表示方法の実施の形態を示したプロセスのフローチャートである。電力の供給方法は、ディスプレイ位置情報姿勢情報検出ステップＳ１、電力給電手段選択ステップＳ２、電力供給給電ステップＳ３を有する。電力供給給電ステップＳ３に続けて電力受電供給ステップＳ４を有してもよい。
【００６２】
（ディスプレイ位置情報姿勢情報検出ステップ：Ｓ１）
ディスプレイ位置情報姿勢情報検出ステップＳ１について、図１２を用いながら説明する。
【００６３】
ディスプレイ位置情報姿勢情報検出ステップＳ１は、ディスプレイ１００に設けられた位置マーカー１０１（１０１ａ、１０１ｂ、１０１ｃ、１０１ｄ）が自らの位置を検出させるための信号を発信するところから開始される。この信号は基板５に２次元的に配置された複数の位置検出手段２において位置情報、姿勢情報に関する信号として受信される。これらの信号は信号線Ｅ１を通じて位置情報姿勢情報入力部７１に取り込まれる。信号としては上述したように位置マーカー１０１から発信される微弱な電磁波の強度を用いることができる。
【００６４】
これらの信号は演算処理部５０により、演算処理され、ディスプレイ１００の位置情報、姿勢情報を検出する。すなわち、具体的には、ディスプレイ１００に設けられた位置マーカー１０１（１０１ａ、１０１ｂ、１０１ｃ）の座標を演算処理部５０にて演算処理して求め、ディスプレイ１００の基板５に対する位置および姿勢を検出する。
【００６５】
先に示した図９のように複数のディスプレイ１００（１００ｃ〜１００ｉ）が設置されている場合には、設置されているディスプレイ１００（１００ｃ〜１００ｉ）の全ての位置マーカー１０１の位置および姿勢を明らかにし、各ディスプレイ１００（１００ｃ〜１００ｉ）の基板５に対する位置、姿勢を検出する。
【００６６】
この場合、上述したように、それぞれのディスプレイ識別情報を参照し、各ディスプレイ１００と位置、姿勢を関係付けておくことも有効である。後述する表示方法における映像信号生成ステップＳ６において、いずれのディスプレイにどの画像を割り付けるかを決定する際に有効に機能する場合があるからである。
【００６７】
なお、ディスプレイ１００の配置が、時々変更される場合には、予め定めた時間間隔ごとにディスプレイ位置情報姿勢情報検出ステップ（Ｓ１）を行ってもよい。
【００６８】
なお、図１３に示すようにディスプレイ１００がｘ−ｙ平面内で角度ｐだけ傾いている場合、あるいは図１４に示すようにｙ−ｚ平面内で角度ｑだけ傾いている場合、さらには図示を省略するが、ｘ−ｙおよびｙ−ｚのいずれについても傾いている場合についても上記と同様に位置情報、姿勢情報を検出することができることはいうまでもない。
【００６９】
（電力給電手段選択ステップ：Ｓ２）
電力給電手段選択ステップＳ２について説明する。電力給電手段選択ステップＳ２は、ディスプレイ位置情報姿勢情報検出ステップＳ１により検出されたディスプレイの位置情報および姿勢情報に基づきディスプレイ１００に対応する電力給電手段３を選択するステップである。
【００７０】
具体的には、位置情報、姿勢情報に基づいて、ディスプレイ１００の基板５に対する位置関係が特定される。ディスプレイ位置情報姿勢情報検出ステップＳ１で検出されたディスプレイ１００の基板５に対する位置情報、姿勢情報を基に、それぞれのディスプレイ１００に最も適した電力給電手段３を選択する。具体的には、それぞれのディスプレイ１００が有する電力受電手段１０２に最も近い電力給電手段３が選択される。電力受電手段１０２、電力給電手段３が複数ある場合には、それら候補となる電力受電手段１０２と電力給電手段３との組み合わせの中から距離が最も近いものを選択すればよい。送電損失を考えた場合に、最も好ましいからである。
【００７１】
（電力供給給電ステップ：Ｓ３）
電力供給給電ステップＳ３について説明する。電力供給給電ステップＳ３は、電力給電手段選択ステップＳ２により選択された電力給電手段３に電力を供給するステップ（電力供給ステップＳ３１）と、この電力給電手段３から無線によりディスプレイ１００の電力受電手段１０２に電力を送るステップ（電力給電ステップＳ３２）を有する。
【００７２】
具体的には、外部電源から電力配線Ｅ４を通じて電力入力部７２に電力が送られる。次にこの電力は、電力供給部３１を通じて電力給電手段選択ステップＳ２により選択された電力給電手段３に電力供給線Ｅ２を通じて送られる。さらにこの電力は、電力給電手段３から無線によりディスプレイ１００の電力受電手段１０２に送られる。
【００７３】
なお、先に述べた通り、外部から取り込まれる電力の一部を電力貯蔵部３２に貯蔵しておき、外部電源が近くにない場合などには、この電力貯蔵部３２に貯蔵された電力の一部または全部を電力受電手段３２に供給してもよい。
【００７４】
（電力受電供給ステップ：Ｓ４）
電力受電供給ステップＳ４について説明する。電力受電供給ステップＳ４は、電力給電手段３からディスプレイ１００の電力受電手段１０２に送られた電力を受電するステップ（電力受電ステップＳ４１）と、この電力受電手段１０２が受電した電力をディスプレイ１００の表示用電力、制御用電力として供給するステップ（受電電力供給ステップＳ４２）を有する。
【００７５】
なお、受電電力供給ステップＳ４２は上述したように、ディスプレイ１００に備えられたディスプレイ電源部（図示省略）に充電するステップをさらに有していてもよい。この場合、ディスプレイ電源部としては充電可能な二次電池、例えばニッケル水素に字電池を用いることができる。
【００７６】
〔表示方法〕
本発明に係る表示システムにおけるディスプレイの表示方法について説明する。
【００７７】
図１５は本発明に係る表示方法の実施の形態を示したプロセスのフローチャートである。  表示方法は、ディスプレイ位置情報姿勢情報検出ステップＳ１、映像信号送信手段選択ステップＳ５、映像信号生成ステップＳ６、映像信号供給送信ステップＳ７を有する。映像信号供給送信ステップＳ７に続けて映像信号受信表示ステップＳ８を有してもよい。
【００７８】
（ディスプレイ位置情報姿勢情報検出ステップ：Ｓ１）
ディスプレイ位置情報姿勢情報検出ステップＳ１は、上記電力の供給方法にて説明した方法と同じ方法を用いることができるので説明を省略する。
【００７９】
（映像信号送信手段選択ステップ：Ｓ５）
映像信号送信手段選択ステップＳ５について説明する。映像信号送信手段選択ステップＳ５は、ディスプレイ位置情報姿勢情報検出ステップにより検出されたディスプレイ１００の位置情報および姿勢情報に基づき、ディスプレイ１００に対応する映像送信手段を選択する。
【００８０】
具体的には、位置情報、姿勢情報に基づいて、ディスプレイ１００の基板５に対する位置関係が特定される。ディスプレイ位置情報姿勢情報検出ステップＳ１で検出されたディスプレイ１００の基板５に対する位置情報、姿勢情報を基に、それぞれのディスプレイ１００に最も適した映像信号送信手段４を選択する。また、それぞれのディスプレイ１００が有する映像信号受信手段１０３に最も近い映像信号送信手段４が選択される。映像信号受信手段１０３、映像信号送信手段４が複数ある場合には、映像信号受信手段１０３と映像信号送信手段４との距離の組み合わせの中で最も近い組み合わせのものを選択すればよい。
【００８１】
高速性が要求される環境下において、通信エラーの発生率を抑制するためには、通信距離を出来るだけ短くするのが、最も好ましいからである。
【００８２】
（映像信号生成ステップ：Ｓ６）
映像信号生成ステップＳ６は、ディスプレイ１００への映像信号の調整（映像信号調整ステップＳ６１）と、映像信号とディスプレイの対応付け（映像信号割付ステップＳ６２）を有する。
【００８３】
ディスプレイ１００への映像信号の映像信号調整ステップＳ６１は、次のようなステップで進む。まず、外部の映像信号源（図示省略）から映像信号線Ｅ５を通じて映像信号入力部７３に映像信号（原画に相当する映像信号）が送られる。この映像信号は、映像信号生成部４１に送られ、ここで映像信号はディスプレイ１００に映像を表示するのに適した映像信号に調整される。具体的には、ディスプレイ１００の数、走査線数、画素数、位置（座標）、姿勢（傾き）等、ディスプレイ１００の仕様や条件に応じて映像信号を調整する。
【００８４】
例えば、ディスプレイ１００が複数ある場合には、ディスプレイの相対的な位置、相対的な姿勢、ディスプレイ間の間隙、輝度差、色調差、コントラスト差等、ディスプレイ１００の仕様や条件、あるいはディスプレイ間の仕様の差あるいは条件の差に応じて映像信号を調整する。
【００８５】
また、走査線数が異なる場合には、映像とディスプレイの走査線が一対一に対応しないため、相互の走査線を対応付ける。１本のディスプレイの走査線に対して複数の映像の走査線が対応する場合は、該走査線に対応する映像信号は、映像強度、デューテ比に応じて重み付け平均により決定できる。逆に１本の映像の走査線に対して複数のディスプレイの走査線が対応する場合は、該複数の走査線に対応する映像信号を走査線ごとに重み付けることで、決定できる。ディスプレイの走査線数、画素数等の仕様に関する情報は、あらかじめ制御部に入力しても良い。また、ディスプレイ１００内部に仕様に関する情報を格納しておき、制御部に必要に応じて該情報を伝送しても良い。伝送方法としては、ディスプレイ１００と制御部の間を無線で伝送する方法の他、位置マーカーと位置情報検出部の信号伝達に、該情報を重畳させる方法でも良い。この場合、位置情報検出部で受信した該情報は制御部に伝送され、映像信号生成ステップにて使用される。
【００８６】
姿勢（傾き）については、例えば、図１３、図１４に示すように、ディスプレイ１００が傾いている場合は、映像が水平を保つように補正する。これは、上述したディスプレイ位置情報姿勢情報検出ステップＳ１にて得られた角度ｐや角度ｑなどの姿勢情報に関する情報に基づき、視聴者に対し映像が水平を保つように映像信号を生成するように、映像信号を補正すればよい。
【００８７】
複数のディスプレイ１００を有する場合においては、映像信号生成部４１にて調整された映像信号は、映像信号割付ステップＳ６２において、それぞれのディスプレイ１００に対応した映像信号ごとに割り付ける。この場合、上述したように、ディスプレイ識別情報を参照し、各ディスプレイと映像信号とを割り付けることもできる。割り付けられた映像信号は映像信号供給部４２に送られる。
【００８８】
例えば、図９において複数のディスプレイ１００ｄ〜１００ｇが４つのディスプレイにてタイル配置されている場合について述べると、１つの映像を４つのディスプレイに分割し、それぞれのディスプレイに適した映像信号を、各ディスプレイにつきそれぞれ対応させて割り付ける。なお、ディスプレイ１００の数が１つであり、入力してくる映像信号と表示する映像信号が同一条件である場合には、映像信号割付ステップＳ６２は省略することができる。また、映像信号は上記ステップにおいて、適宜、映像信号格納部６２に格納されてもよい。
【００８９】
複数のディスプレイ１００ｄ〜１００ｇの内、少なくとも１枚のディスプレイの姿勢が他のディスプレイに比べて傾いている場合は、視聴者に対して映像が水平を保つように、各ディスプレイの傾きに応じて傾きを補正した映像を割り付ける。あるいは、複数のディスプレイ１００ｄ〜１００ｇが同一の傾きを有している場合は、ディスプレイの傾きに応じてディスプレイに合わせた映像を割り付ける。この場合は視聴者は傾いた映像を見る事になる。
【００９０】
複数のディスプレイ１００ｄ〜１００ｇがタイル上に配置されており、一部のディスプレイ間の間隙が開いている場合は、複数のディスプレイ全体の重心座標と映像の重心座標を一致させた上で、映像の上下左右が複数のディスプレイの外接長方形の内側になるように映像の倍率を調整した上で、各ディスプレイに映像を分割して表示させる。
【００９１】
ここで、ディスプレイ全体の重心座標とは、複数のディスプレイ１００が配置された場合、これら全てのディスプレイ１００の表示部１０４についての幾何学的な重心をいう。また、映像の重心座標とは、割り付けられる前の映像信号、すなわち原画の重心をいう。
【００９２】
（映像信号供給送信ステップ：Ｓ７）
映像信号供給送信ステップＳ７について説明する。
【００９３】
映像信号割付ステップＳ６２において、割り付けられた映像信号は、映像信号供給部４１から映像信号供給線Ｅ３を通じて、映像信号送信手段選択ステップＳ５により選択された映像信号送信手段４に送られる（映像信号供給ステップＳ７１）。さらにこの映像信号は、映像信号送信手段４から無線によりディスプレイ１００の映像信号受信手段１０３に送られる（映像信号送信ステップＳ７１）。
【００９４】
（映像信号受信表示ステップ：Ｓ８）
映像信号表示ステップＳ８は選択された映像信号受信手段１０３による映像信号の受信（映像信号受信ステップＳ８１）とは、映像信号受信手段１０３に送られた映像信号をディスプレイ１００の表示部１０４へのに適切に表示（映像信号表示ステップＳ８２）を有する。する。このとき、映像信号受信ステップＳ８１および映像信号表示ステップＳ８２は、ディスプレイ制御部（図示省略）により適切に制御される。
【００９５】
〔本発明の第１の実施の形態〕
図１２について、実施の形態についてさらに詳細に説明する。
【００９６】
図１２はディスプレイ１００が背面板１の基板５に配置されている様子を示している。ディスプレイ１００の仕様は、対角１９インチ、画素数は水平方向１４４０画素、垂直方向９００画素のバックライト搭載液晶ディスプレイである。
【００９７】
ディスプレイ１００には位置マーカー１０１ａ〜１０１ｄが四隅に配置されている。１０１ａ〜１０１ｄには図１２に示したように、ディスプレイの厚み方向に電力受電手段１０２ａ〜１０２ｄ、映像信号受信手段１０３ａ〜１０３ｄが重畳して設置されている。
【００９８】
まずディスプレイ位置情報姿勢情報検出ステップＳ１により、位置マーカー１０１ａ〜１０１ｄの座標を求め、ディスプレイ１００の位置情報、姿勢情報を求める。本実施の形態において、微弱な電磁波が位置マーカー１０１ａ〜１０１ｄのそれぞれから発信される。これらの電磁波は、ディスプレイ１００の位置検知手段２（２ａ〜２ｄ等、複数の位置検知手段２を含む。）においてそれぞれで受信される。
【００９９】
本実施の形態においては、受信した電磁波の強度から位置マーカー２の位置を検出するものとする。電磁波の強度は距離の２乗に反比例して減衰するので、図１２に示すようにディスプレイ１００が矩形状であり、その４隅に位置マーカー１０１ａ〜１０１ｄが設置されており、かつ、電磁波の発信強度が予め与えられているならば、受信した電磁波の強度から、背面板１に対するディスプレイ１００の位置および姿勢を求めることができる。この場合、公知の幾何学的な解析手段を用いて求めればよい。
【０１００】
このようにしてディスプレイ１００の位置および姿勢を検出した後、基板５に配置された電力給電手段３とディスプレイ１００に配置された電力受電手段１０２、および基板５に配置された映像信号送信手段４との距離Ｒ１、ディスプレイ１００に配置された映像信号受信手段１０３との間の距離Ｒ２をそれぞれ求める。これらの距離Ｒ１、Ｒ２のうち、最も距離が短いものを選択することにより、電力給電手段選択ステップＳ２、映像信号送信手段選択ステップＳ５が行われる。本実施の形態においては、図１２に示すように、電力給電手段３ｄ、映像信号送信手段４ｄと位置マーカー１０１ｄとの距離が、他の電力給電手段及び映像信号送信手段と位置マーカーとの距離に比べて短い。したがって、電力給電手段選択ステップＳ２により電力給電手段３ｄとこれに対応する電力受電手段（１０２ｄとする）が選択される。また、映像信号送信手段選択ステップＳ５により、映像信号送信手段４ｄとこれに対応する映像信号受信手段（１０３ｄとする）により検出される。
【０１０１】
このようにして、電力供給ステップＳ３により選択された電力給電手段３ｄには、外部電源から電力配線Ｅ４、電力入力部７２、電力供給部３１を通じて電力給電手段３ｄに電力供給線Ｅ２を通じて電力が供給され、さらに無線により電力受電手段１０２ｄに送られる。
【０１０２】
一方、映像信号は映像信号生成ステップＳ６により、ディスプレイ１００で映像を表示するのに適した映像信号に調整される。
【０１０３】
まず、ディスプレイ１００への映像信号の調整（映像信号調整ステップＳ６１）を行う。このステップにおいて、外部の映像信号源（図示省略）から映像信号線Ｅ５、映像信号入力部７３を介して映像信号生成部４１に映像信号が送られてくる。ここで映像信号はディスプレイ１００に映像を表示するのに適した映像信号に調整される。
【０１０４】
例えば、入力信号が走査線１０８０本、ディスプレイ１００の走査線が７６８本の場合には、入力信号の走査線１．４本につき、表示用の映像信号１本を調整するように映像信号の調整が行われる。同一走査線に複数の映像信号を重畳させることになるが、複数の映像にデューテ比に応じた重み付けをした信号を対応付けてやればよい。
【０１０５】
次に、映像信号とディスプレイの対応付け（映像信号割付ステップＳ６２）を行う。本実施の形態においてはディスプレイ１００は１つのみなので、特に映像信号を分割等する必要はなく、映像信号調整ステップＳ６１で調整された映像信号をそのままディスプレイ１００に映像する映像信号として対応付ければよい。
【０１０６】
このようにして調整および対応付けられた映像信号は映像信号供給ステップＳ７にて、映像信号供給部４１から映像信号供給線Ｅ３を通じて、映像信号送信手段４ｄに送られる。さらにこの映像信号は、映像信号送信手段４ｄから無線によりディスプレイ１００の映像信号受信手段１０３ｄに送信される。
【０１０７】
映像信号受信手段１０３ｄで受信（映像信号受信ステップＳ８１）された映像は、ディスプレイ１００の表示部１０４に表示（映像信号表示ステップＳ８２）される。
【０１０８】
本実施の形態により、ディスプレイ１００への電力供給は、基板５における位置に応じた電力給電手段３を適切に選択することができ、高効率かつ低消費電力な表示システムが実現できる。
【０１０９】
また、ディスプレイ１００への映像信号の供給は、同様に基板５における位置に応じた適切な映像信号送信手段４を選択することができ、高効率かつ安定した映像の表示システムが実現できる。
【０１１０】
〔本発明の第２の実施の形態〕
図１４のようにディスプレイ１００が基板５に対し、その一部が浮いている場合を示している。この場合、ディスプレイ１００の位置マーカー１０１ａが位置検出手段２により正しく検出されない可能性がある。
【０１１１】
このようにディスプレイ１００の一部が浮いている場合、ディスプレイの位置マーカー１０１ａが基板５から遠くなるため、位置検出が不正確になる可能性がある。また映像信号や電力の無線供給効率の低下、データ転送誤りの増大等の懸念が生じる。
【０１１２】
この問題を解決するために、ディスプレイ１００が背面板５に最も接近している、あるいは接触している部分をディスプレイ位置情報姿勢情報検出ステップＳ１にて検出し、このような最も接近、あるいは接触している電力給電手段３、電力受電手段１０２を選択して、電力の供給を行えばよい。
【０１１３】
ここで接触とは、物理的に接触している場合のみならず、例えば、図１４の構成図において、位置マーカー１０１ｂからの電磁波が、位置検出手段２において予め与えられた所定値以内であることをいう。このように、位置検出手段２において予め与えられた所定値以内であることを検出した場合に、ディスプレイ１００が基板５に接触していると判断するようにすることにより、最も接近、あるいは接触している電力給電手段３、電力受電手段１０２を選択して、電力の供給を実現できる。
【０１１４】
これは、基板５に複数の感圧センサーを設け、感圧位置とディスプレイ１００の位置の一致が見られたディスプレイは、基板５に接触していると判断することも可能である。これにより、ディスプレイ１００の位置および姿勢を検出する精度および感度が向上する。あるいは、ディスプレイ１００に複数の感圧センサーを設け、感圧センサーが予め設定した圧力以上の圧力を感知した時に位置マーカーが起動するようにすれば、基板５に接触していると判断できる。
【０１１５】
電力給電手段３、電力受電手段１０２の選択と同様に、最も接近、あるいは接触している映像信号送信手段４、映像信号受信手段１０３を選択して、映像信号のやり取りを行う。
【０１１６】
いずれの位置マーカー２が所定値よりも大きく、ディスプレイ１００が浮いている状態として検出される場合には、ディスプレイ１００が適切に配置されていないことを視聴者に知らせるように、その検出する手順および所定値をディスプレイ位置情報姿勢情報検出ステップＳ１で検出するようにすることもできる。具体的には、このような状態で警報を発するようにすることができる。
【０１１７】
このようにディスプレイ１００が浮いている状態の検出を行う手順および所定値については予め情報格納部６０に格納しておき、ディスプレイ位置情報姿勢情報検出ステップＳ１で手順および所定値を参照することで実現される。
【０１１８】
このように本実施例の構成により、高効率、低消費電力、安定した映像表示に加え、さらにディスプレイと背面板の接触を検知することで、映像信号・電力の安定的な無線供給を実現できる。
【０１１９】
なお、本発明は上記実施例に限定されることなく、その趣旨を逸脱しない範囲で種々変形して実施することが可能である。
【図面の簡単な説明】
【０１２０】
【図１】本発明に係る背面板の構成図。
【図２】本発明に係る制御部の構成図。
【図３】本発明に係る基板の構成図。
【図４】本発明に係る基板の断面図。
【図５】本発明に係るディスプレイの構成図。
【図６】本発明に係るディスプレイの断面図。
【図７】本発明に係る表示システムの構成図。
【図８】本発明に係る表示システムの断面図。
【図９】本発明に係る表示システムによる表示例。
【図１０】本発明に係る表示システムの表示例の変形例。
【図１１】本発明に係る電力供給方法を示したプロセスフローチャート。
【図１２】本発明に係る表示システムの一実施の形態を示した表示例。
【図１３】本発明に係る表示システムの他の実施の形態を示した表示例。
【図１４】本発明に係る表示システムの他の実施の形態を示した表示例。
【図１５】本発明に係る表示方法を示したプロセスフローチャート。
【図１６】本発明に係るディスプレイと基板５が接触する前の状態を示した模式図
【図１７】本発明に係るディスプレイと基板の接触状態を示した模式図
【符号の説明】
【０１２１】
１  ・・・  背面板
２、２ａ、２ｂ、２ｃ、２ｄ  ・・・  位置検知手段
３、３ａ、３ｂ、３ｃ、３ｄ  ・・・  電力給電手段
４、４ａ、４ｂ、４ｃ、４ｄ  ・・・  映像信号送信手段
５  ・・・  基板
６  ・・・  制御部
１０  ・・・  検出部
１１  ・・・  位置情報検出部
１２  ・・・  姿勢情報検出部
２０  ・・・  選択部
２１  ・・・  電力供給手段選択部
２２  ・・・  映像送信手段選択部
３０  ・・・  電力制御部
３１  ・・・  電力供給部
３２  ・・・  電力貯蔵部
４０  ・・・  映像信号制御部
４１  ・・・  映像信号生成部
４２  ・・・  映像信号供給部
５０  ・・・  演算処理部
６０  ・・・  情報格納部
６１  ・・・  位置姿勢情報格納部
６２  ・・・  映像信号格納部
７０  ・・・  外部入力部
７１  ・・・  位置姿勢情報入力部
７２  ・・・  電力入力部
７３  ・・・  映像信号入力部
１００、１００ａ、１００ｂ、１００ｃ、１００ｄ、１００ｅ、１００ｆ、１００ｇ、１００ｈ、１００ｉ、１００ｊ、１００ｋ  ・・・  ディスプレイ
１０１、１０１ａ、１０１ｂ、１０１ｃ、１０１ｄ  ・・・  位置マーカー
１０２、１０２ａ、１０２ｂ  ・・・  電力受電手段
１０３、１０３ａ、１０３ｂ  ・・・  映像信号受信手段
１０４  ・・・  表示部
１０５  ・・・  固定部
１０６  ・・・  感圧センサー
１０７  ・・・  押圧ボタン
１０８  ・・・  付勢手段
２００  ・・・  表示システム
３００  ・・・  家具（什器）
Ｓ１  ・・・  ディスプレイ位置情報姿勢情報検出ステップ
Ｓ２  ・・・  電力給電手段選択ステップ
Ｓ３  ・・・  電力供給給電ステップ
Ｓ３１  ・・・  電力供給ステップ
Ｓ３２  ・・・  電力給電ステップ
Ｓ４  ・・・  電力受電供給ステップ
Ｓ４１  ・・・  電力受電ステップ
Ｓ４２  ・・・  受電電力供給ステップ
Ｓ５  ・・・  映像信号送信手段選択ステップ
Ｓ６  ・・・  映像信号生成ステップ
Ｓ６１  ・・・  映像信号調整ステップ
Ｓ６２  ・・・  映像信号割付ステップ
Ｓ７  ・・・  映像信号供給ステップ
Ｓ７１  ・・・  映像信号供給ステップ
Ｓ７２  ・・・  映像信号送信ステップ
Ｓ８  ・・・  映像信号受信表示ステップ
Ｓ８１  ・・・  映像信号受信ステップ
Ｓ８２  ・・・  映像信号表示ステップ
Ｅ１  ・・・  信号線
Ｅ２  ・・・  電力供給線
Ｅ３  ・・・  映像信号供給線
Ｅ４  ・・・  電力用配線
Ｅ５  ・・・  映像信号線
Ｅ６  ・・・  接触状態検出信号線
【図１】
2009244346.tif 000003
【図２】
2009244346.tif 000004
【図３】
2009244346.tif 000005
【図４】
2009244346.tif 000006
【図５】
2009244346.tif 000007
【図６】
2009244346.tif 000008
【図７】
2009244346.tif 000009
【図８】
2009244346.tif 000010
【図９】
2009244346.tif 000011
【図１０】
2009244346.tif 000012
【図１１】
2009244346.tif 000013
【図１２】
2009244346.tif 000014
【図１３】
2009244346.tif 000015
【図１４】
2009244346.tif 000016
【図１５】
2009244346.tif 000017
【図１６】
2009244346.tif 000018
【図１７】
2009244346.tif 000019